(57)【要約】【課題】補強筋を設けるスペースが限られている場合であってもひび割れ防止を図ることができる鉄筋コンクリート床版を提供する。【解決手段】Ｘ方向配筋２と、Ｘ方向配筋２とは異なる層に埋設されたＹ方向配筋３と、Ｘ方向配筋又はＹ方向配筋の少なくとも一方の切断を伴って形成された開口部４と、Ｘ方向配筋２及びＹ方向配筋３とは異なる層に、開口部４が設けられる領域Ａの少なくともＸ方向又はＹ方向のいずれか一方を囲うように埋設された補強筋１０と、を具備し、補強筋１０は、Ｘ方向配筋２及びＹ方向配筋３と交差するように配置される第一部分１１と、Ｘ方向配筋２及びＹ方向配筋３と交差するように、かつ、長手方向を第一部分１１の長手方向とは異なる方向に向けて第一部分１１と同じ層に配置される第二部分１２と、第一部分１１の先端部及び第二部分１２の先端部が互いに接続されることにより形成された角部１３と、を具備する。【選択図】図１
2020159171.tif 000002
【特許請求の範囲】
【請求項１】
Ｘ方向に長手方向を向けて埋設されたＸ方向配筋と、
前記Ｘ方向配筋とは異なる層に、前記Ｘ方向と交差するＹ方向に長手方向を向けて埋設されたＹ方向配筋と、
床板の厚み方向に沿って設けられ、前記Ｘ方向配筋又は前記Ｙ方向配筋の少なくとも一方の切断を伴って形成された開口部と、
前記Ｘ方向配筋及び前記Ｙ方向配筋とは異なる層に、ＸＹ平面における平面視において前記開口部が設けられる領域の少なくとも前記Ｘ方向又は前記Ｙ方向のいずれか一方を囲うように埋設された補強筋と、
を具備し、
前記補強筋は、
前記平面視において前記Ｘ方向配筋及び前記Ｙ方向配筋と交差するように配置される第一部分と、
前記平面視において前記Ｘ方向配筋及び前記Ｙ方向配筋と交差するように、かつ、長手方向を前記第一部分の長手方向とは異なる方向に向けて前記第一部分と同じ層に配置される第二部分と、
前記第一部分の先端部及び前記第二部分の先端部が互いに接続されることにより形成された角部と、
を具備する、
鉄筋コンクリート床版。
【請求項２】
前記補強筋は、
１本の線材が折り曲げられることによって形成されている、
請求項１に記載の鉄筋コンクリート床版。
【請求項３】
前記補強筋は、
前記角部から、前記開口部と対向する側と反対側に延伸する延伸部を具備する、
請求項１に記載の鉄筋コンクリート床版。
【請求項４】
前記第一部分は第一部材に形成され、
前記第二部分は前記第一部材とは異なる第二部材に形成され、
前記延伸部は、
前記第一部材に形成された第一延伸部と、
前記第二部材に、前記第一延伸部と同じ方向に延伸するように形成された第二延伸部と、
を具備し、
前記第一延伸部と前記第二延伸部とは互いに固定されている、
請求項３に記載の鉄筋コンクリート床版。
【請求項５】
前記延伸部の先端部はフック状に形成されている、
請求項３又は請求項４に記載の鉄筋コンクリート床版。
【請求項６】
前記補強筋は、
前記平面視において前記開口部が設けられた領域の前記Ｘ方向及び前記Ｙ方向の両方を囲うように埋設されている、
請求項１から請求項５までのいずれか一項に記載の鉄筋コンクリート床版。
【請求項７】
厚さが９０ｍｍ以下である、
請求項１から請求項６までのいずれか一項に記載の鉄筋コンクリート床版。
【発明の詳細な説明】
【技術分野】
【０００１】
本発明は、鉄筋コンクリート床版の技術に関する。
【背景技術】
【０００２】
従来、鉄筋コンクリート床版の技術は公知となっている。例えば、特許文献１に記載の如くである。
【０００３】
特許文献１には、複数の線材が組み合わされることにより形成された鉄筋が、コンクリート中に埋設されることで構成された多孔質コンクリート（鉄筋コンクリート床版）が記載されている。鉄筋を構成する各線材（主筋及び配力筋）は、上下二段の格子状に配置され、互いに溶接されている。
【０００４】
このような鉄筋コンクリート床版に設備開口を設けるためには、コンクリート部分に欠損が生じるだけでなく、鉄筋を切断する場合もある。鉄筋を切断することにより全体的な強度は低下するため、切断部分を補強するために、切断した鉄筋と同量以上の補強筋を切断部分の近傍に配置する場合がある。さらに、ひび割れを防止するために、補強筋を切断部分の角部に沿って斜め方向に配置する場合がある。この場合、主筋と配力筋に加えて補強筋が上下二段配置されることにより、鉄筋が上下四段以上に配置されることとなる。
【０００５】
しかしながら、例えば床版が比較的薄い場合、鉄筋の配置スペース（厚み方向のスペース）は限られたものとなる。そうすると、補強筋を配置することができず、ひび割れ防止を図ることができないという問題があった。
【先行技術文献】
【特許文献】
【０００６】
【特許文献１】特開２００１−２７８６７８号公報
【発明の概要】
【発明が解決しようとする課題】
【０００７】
本発明は以上の如き状況に鑑みてなされたものであり、その解決しようとする課題は、補強筋を設けるスペースが限られている場合であってもひび割れ防止を図ることができる鉄筋コンクリート床版を提供することである。
【課題を解決するための手段】
【０００８】
本発明の解決しようとする課題は以上の如くであり、次にこの課題を解決するための手段を説明する。
【０００９】
即ち、請求項１においては、Ｘ方向に長手方向を向けて埋設されたＸ方向配筋と、前記Ｘ方向配筋とは異なる層に、前記Ｘ方向と交差するＹ方向に長手方向を向けて埋設されたＹ方向配筋と、床板の厚み方向に沿って設けられ、前記Ｘ方向配筋又は前記Ｙ方向配筋の少なくとも一方の切断を伴って形成された開口部と、前記Ｘ方向配筋及び前記Ｙ方向配筋とは異なる層に、ＸＹ平面における平面視において前記開口部が設けられる領域の少なくとも前記Ｘ方向又は前記Ｙ方向のいずれか一方を囲うように埋設された補強筋と、を具備し、前記補強筋は、前記平面視において前記Ｘ方向配筋及び前記Ｙ方向配筋と交差するように配置される第一部分と、前記平面視において前記Ｘ方向配筋及び前記Ｙ方向配筋と交差するように、かつ、長手方向を前記第一部分の長手方向とは異なる方向に向けて前記第一部分と同じ層に配置される第二部分と、前記第一部分の先端部及び前記第二部分の先端部が互いに接続されることにより形成された角部と、を具備するものである。
【００１０】
請求項２においては、前記補強筋は、１本の線材が折り曲げられることによって形成されているものである。
【００１１】
請求項３においては、前記補強筋は、前記角部から、前記開口部と対向する側と反対側に延伸する延伸部を具備するものである。
【００１２】
請求項４においては、前記第一部分は第一部材に形成され、前記第二部分は前記第一部材とは異なる第二部材に形成され、前記延伸部は、前記第一部材に形成された第一延伸部と、前記第二部材に、前記第一延伸部と同じ方向に延伸するように形成された第二延伸部と、を具備し、前記第一延伸部と前記第二延伸部とは互いに固定されているものである。
【００１３】
請求項５においては、前記延伸部の先端部はフック状に形成されているものである。
【００１４】
請求項６においては、前記補強筋は、前記平面視において前記開口部が設けられた領域の前記Ｘ方向及び前記Ｙ方向の両方を囲うように埋設されているものである。
【００１５】
請求項７においては、厚さが９０ｍｍ以下であるものである。
【発明の効果】
【００１６】
本発明の効果として、以下に示すような効果を奏する。
【００１７】
請求項１においては、補強筋を設けるスペースが限られている場合であってもひび割れ防止を図ることができる。
【００１８】
請求項２においては、補強筋を容易に製造することができる。
【００１９】
請求項３においては、補強筋が互いに交差する（異なる層となる）ことなく、補強筋の定着長さの確保を図ることができる。
【００２０】
請求項４においては、角部における応力集中を緩和することができる。
【００２１】
請求項５においては、角部における応力集中をより緩和することができる。
【００２２】
請求項６においては、ひび割れ防止効果を向上させることができる。
【００２３】
請求項７においては、比較的薄い鉄筋コンクリート床版であっても補強筋を設けることができ、これによりひび割れ防止を図ることができる。
【図面の簡単な説明】
【００２４】
【図１】本発明の第一実施形態に係る鉄筋コンクリート床版を示した拡大平面断面図。
【図２】本発明の第一実施形態に係る鉄筋コンクリート床版を示した拡大側面断面図。
【図３】本発明の第一実施形態に係る補強筋を示した平面図。
【図４】本発明の第二実施形態に係る鉄筋コンクリート床版を示した拡大平面断面図。
【図５】本発明の第三実施形態に係る鉄筋コンクリート床版を示した拡大平面断面図。
【図６】本発明の第三実施形態に係る補強筋を示した平面図。
【図７】本発明の第三実施形態の別例に係る補強筋を示した平面図。
【図８】本発明の第三実施形態の別例に係る補強筋を示した平面図。
【図９】本発明の第四実施形態に係る鉄筋コンクリート床版を示した拡大平面断面図。
【図１０】本発明の第五実施形態に係る鉄筋コンクリート床版を示した拡大平面断面図。
【発明を実施するための形態】
【００２５】
以下の説明においては、図中に記した矢印に従って、上下方向、左右方向及び前後方向をそれぞれ定義する。なお、以下において、「Ｘ方向」とは左右方向を示すものであり、「Ｙ方向」とは前後方向を示すものである。
【００２６】
以下では、図１から図３を用いて、第一実施形態に係る鉄筋コンクリート床版１００の構成について説明する。なお、図１においては、コンクリート部１のハッチングを省略している（図４、図５、図９及び図１０も同様）。
【００２７】
図１及び図２に示す鉄筋コンクリート床版１００は、鉄筋コンクリート造（ＲＣ造）の床版である。鉄筋コンクリート床版１００の厚さｔ１（図２参照）は、９０ｍｍ以下、望ましくは８５ｍｍ以下に形成される。鉄筋コンクリート床版１００は、コンクリート部１、Ｘ方向配筋２、Ｙ方向配筋３、開口部４及び補強筋１０を具備する。
【００２８】
図１及び図２に示すコンクリート部１は、鉄筋コンクリート床版１００の主要部を構成するものである。コンクリート部１は、直方体状に形成される。コンクリート部１は、型枠内にコンクリート材料が流し込まれることによって形成される。
【００２９】
図１及び図２に示すＸ方向配筋２は、Ｘ方向（左右方向）に長手方向を向けて配置された鉄筋である。Ｘ方向配筋２は、コンクリート部１中に埋設される。Ｘ方向配筋２は、Ｙ方向（前後方向）に間隔をおいて複数配置される。
【００３０】
図１及び図２に示すＹ方向配筋３は、Ｙ方向（前後方向）に長手方向を向けて配置された鉄筋である。Ｙ方向配筋３は、コンクリート部１中に埋設される。Ｙ方向配筋３は、Ｘ方向（左右方向）に間隔をおいて複数配置される。Ｙ方向配筋３は、Ｘ方向配筋２とは異なる層に埋設される。より詳細には、Ｙ方向配筋３は、Ｘ方向配筋２の下方に、当該Ｘ方向配筋２と当接するように配置される（図２参照）。Ｙ方向配筋３は、平面視（ＸＹ平面における平面視）において、Ｘ方向配筋２と交差するように埋設される。
【００３１】
図１に示す開口部４は、上下方向（鉄筋コンクリート床版１００の厚み方向）に沿って開口するものである。開口部４は、設備開口として形成される。開口部４は、コンクリート部１を上下方向に貫通するように形成される。開口部４は、平面視円状に形成される。開口部４は、左右方向に並んで複数形成される。本実施形態においては、開口部４は、３つ形成される。
【００３２】
開口部４が設けられる位置にＸ方向配筋２及びＹ方向配筋３がある場合は、Ｘ方向配筋２及びＹ方向配筋３の一部が切断される。具体的には、平面視において開口部４と重複する部分（開口部４の内側に突出する部分）、及び当該部分の周囲の部分が切断される。本実施形態においては、Ｘ方向配筋２及びＹ方向配筋３の両方が切断される。以下では、Ｘ方向配筋２及びＹ方向配筋３が切断される領域を領域Ａと称する。領域Ａは、平面視において３つの開口部４を囲うように形成される。換言すれば、領域Ａ内に開口部４が形成される。領域Ａは、平面視において矩形状に形成される。なお、領域Ａ内にＸ方向配筋２及びＹ方向配筋３の一部分が位置していても、開口部４の内側に突出しないのであれば、当該部分は必ずしも切断されていなくてもよい。本実施形態においては、左右中央の開口部４の左右両サイドのＹ方向配筋３は切断されていない。なお、領域Ａは、本発明における「開口部が設けられる領域」に相当する。
【００３３】
このように開口部４が設けられることにより、コンクリート部１に欠損が生じるだけでなく、Ｘ方向配筋２及びＹ方向配筋３にも切断により欠損が生じる。Ｘ方向配筋２及びＹ方向配筋３を切断することにより、コンクリート部１がひび割れし易くなる。このコンクリート部１のひび割れを防止するために補強筋１０が設けられる。
【００３４】
補強筋１０は、コンクリート部１のひび割れを防止するための鉄筋である。補強筋１０は、コンクリート部１中に埋設される。補強筋１０は、Ｘ方向配筋２及びＹ方向配筋３とは異なる層に埋設される。より詳細には、補強筋１０は、Ｘ方向配筋２の上方に、当該Ｘ方向配筋２と当接するように配置される（図２参照）。補強筋１０は、平面視において、領域Ａの少なくともＸ方向又はＹ方向のいずれか一方を囲うように埋設される。本実施形態において、補強筋１０は、領域Ａの左側の辺及び右側の辺それぞれを囲うように左右一対設けられる。左右一対の補強筋１０は、互いに同形状に形成され、互いに左右対称となるように配置される。
【００３５】
補強筋１０は、１本の線材が略直角に折り曲げられることによって形成されている。補強筋１０は、第一部分１１、第二部分１２及び角部１３を具備する。上述の如く、左右一対の補強筋１０は、互いに同形状に形成されるものであるので、以下では、左右一対の補強筋１０のうち左側の補強筋１０について説明を行い、右側の補強筋１０については説明を省略する。
【００３６】
図１及び図３に示す第一部分１１は、１本の線材が折り曲げられることにより形成される２辺のうち、一方側の辺を構成する部分である。第一部分１１は、Ｘ方向及びＹ方向に対して斜め方向に長手方向を向けて設けられる。より詳細には、第一部分１１は、その両端部のそれぞれを左前方向及び右後方向に向けて配置される。これにより、第一部分１１は、平面視において、Ｘ方向配筋２及びＹ方向配筋３と交差するように配置される。第一部分１１の前端部（左端部）は、領域Ａの左辺の左方に、かつ、領域Ａの前後中央部に位置するように配置される。
【００３７】
図１及び図３に示す第二部分１２は、１本の線材が折り曲げられることにより形成される２辺のうち、他方側の辺を構成する部分である。よって、当然の如く、第二部分１２は、第一部分１１と同じ層に埋設される。第二部分１２は、Ｘ方向及びＹ方向に対して斜め方向に長手方向を向けて設けられる。より詳細には、第二部分１２は、その両端部のそれぞれを右前方向及び左後方向に向けて配置される。これにより、第一部分１１は、平面視において、Ｘ方向配筋２及びＹ方向配筋３と交差するように配置される。第二部分１２の後端部（左端部）は、領域Ａの左辺の左方に、かつ、領域Ａの前後中央部に位置するように配置される。第一部分１１及び第二部分１２は、１本の線材が略直角に折り曲げられることによって形成されているため、第二部分１２は、その後端部（左端部）が第一部分１１の前端部（左端部）と接続されている。
【００３８】
図１及び図３に示す角部１３は、第二部分１２の後端部（左端部）と第一部分１１の前端部（左端部）とが接続されることによって形成される部分である。角部１３は、概ね９０°の角度をなすように形成される。
【００３９】
このように補強筋１０が配置されることで、コンクリート部１のひび割れ防止を図ることができる。
【００４０】
また、本実施形態に係る鉄筋コンクリート床版１００は、厚さｔ１が９０ｍｍ以下、望ましくは８５ｍｍ以下であって、比較的薄いものである（図２参照）。ここで、鉄筋コンクリート床版１００においては、所定の基準を満たすように被り厚さｔ２を所定値（例えば２０〜３０ｍｍ程度）確保する必要がある。ここで、「被り厚さｔ２」とは、コンクリート部１の表面（上面及び下面）から鉄筋（Ｘ方向配筋２、Ｙ方向配筋３及び補強筋１０）までの最短長さ（上下方向長さ）を示すものである。所定の基準を満たすために被り厚さｔ２を２０〜３０ｍｍ程度確保しようとすると、配筋スペースｔ３は非常に狭く（短く）なる。ここで、「配筋スペースｔ３」とは、鉄筋（Ｘ方向配筋２、Ｙ方向配筋３及び補強筋１０）を配置可能なスペース（上下方向長さ）を示すものである。
【００４１】
ここで、コンクリート部１のひび割れを防止するために、仮に直線状の２本の補強筋を平面視で互いに交差するように配置した場合、Ｘ方向配筋２及びＹ方向配筋３に加えて補強筋が上下二段配置されることにより、鉄筋が上下四段に配置されることとなる。
【００４２】
一方、本実施形態に係る鉄筋コンクリート床版１００においては、１本の線材を折り曲げることによって補強筋１０を形成するようにしている。これにより、第一部分１１及び第二部分１２が同じ層に配置されることとなる。したがって、鉄筋の合計段数を上下三段とすることができる。これにより、鉄筋コンクリート床版１００の厚さｔ１が比較的薄く、配筋スペースｔ３が限られている場合であっても、コンクリート部１のひび割れ防止を図ることができる。
【００４３】
以上の如く、本実施形態に係る鉄筋コンクリート床版１００は、Ｘ方向に長手方向を向けて埋設されたＸ方向配筋２と、前記Ｘ方向配筋２とは異なる層に、前記Ｘ方向と交差するＹ方向に長手方向を向けて埋設されたＹ方向配筋３と、鉄筋コンクリート床版１００（床板）の厚み方向に沿って設けられ、前記Ｘ方向配筋２又は前記Ｙ方向配筋３の少なくとも一方の切断を伴って形成された開口部４と、前記Ｘ方向配筋２及び前記Ｙ方向配筋３とは異なる層に、ＸＹ平面における平面視において前記開口部４が設けられる領域Ａの少なくとも前記Ｘ方向又は前記Ｙ方向のいずれか一方を囲うように埋設された補強筋１０と、を具備し、前記補強筋１０は、前記平面視において前記Ｘ方向配筋２及び前記Ｙ方向配筋３と交差するように配置される第一部分１１と、前記平面視において前記Ｘ方向配筋２及び前記Ｙ方向配筋３と交差するように、かつ、長手方向を前記第一部分１１の長手方向とは異なる方向に向けて前記第一部分１１と同じ層に配置される第二部分１２と、前記第一部分１１の先端部及び前記第二部分１２の先端部が互いに接続されることにより形成された角部１３と、を具備するものである。
このように構成することにより、補強筋１０を設けるスペースが限られている場合であってもひび割れ防止を図ることができる。
【００４４】
また、前記補強筋１０は、１本の線材が折り曲げられることによって形成されているものである。
このように構成することにより、補強筋１０を容易に製造することができる。
【００４５】
また、本実施形態に係る鉄筋コンクリート床版１００は、厚さｔ１が９０ｍｍ以下であるものである。
このように構成することにより、比較的薄い鉄筋コンクリート床版１００であっても補強筋１０を設けることができ、これによりひび割れ防止を図ることができる。
【００４６】
以上、本発明の一実施形態を説明したが、本発明は上記構成に限定されるものではなく、特許請求の範囲に記載された発明の範囲内で種々の変更が可能である。
【００４７】
例えば、本実施形態においては、開口部４は、左右方向に並んで複数形成されるものとしたが、開口部４の数及び位置は任意とすることができる。
【００４８】
また、本実施形態に係る鉄筋コンクリート床版１００は、厚さｔ１が９０ｍｍ以下であるものとしたが、厚さｔ１は任意の値とすることができる。
【００４９】
以下では、図４を参照して、本発明の第二実施形態に係る鉄筋コンクリート床版２００について説明する。
【００５０】
第二実施形態に係る鉄筋コンクリート床版２００が、第一実施形態に係る鉄筋コンクリート床版１００と異なる主な点は、開口部４に代えて開口部５を具備する点、及び補強筋１０がさらに２つ（計４つ）設けられる点である。よって以下では、第二実施形態に係る鉄筋コンクリート床版２００のうち第一実施形態に係る鉄筋コンクリート床版１００と同一の構成については、同一の符号を付して説明を省略する。
【００５１】
開口部５は、上下方向（鉄筋コンクリート床版１００の厚み方向）に沿って開口するものである。開口部５は、設備開口として形成される。開口部５は、コンクリート部１を上下方向に貫通するように形成される。開口部５は、平面視円状に形成される。開口部５は、左右方向及び前後方向（十字状）に並んで複数形成される。本実施形態においては、開口部５は、５つ形成される。
【００５２】
開口部５を形成するために、Ｘ方向配筋２及びＹ方向配筋３の両方が切断される。Ｘ方向配筋２及びＹ方向配筋３が切断される領域Ａは、平面視において５つの開口部５を囲うように形成される。換言すれば、領域Ａ内に開口部５が形成される。
【００５３】
補強筋１０は、平面視において領域Ａの全周を、すなわちＸ方向及びＹ方向の両方を囲うように左右一対及び前後一対設けられる。左右一対及び前後一対の補強筋１０は、互いに同形状に形成される。左右一対の補強筋１０は、互いに左右対称となるように配置される。前後一対の補強筋１０は、互いに前後対称となるように配置される。
【００５４】
このように、補強筋１０が領域Ａの全周を囲うように配置されていることにより、コンクリート部１のひび割れ防止効果を向上させることができる。
【００５５】
以上の如く、第二実施形態において、前記補強筋１０は、前記平面視において領域Ａ（開口部５が設けられた領域）の前記Ｘ方向及び前記Ｙ方向の両方を囲うように埋設されているものである。
このように構成することにより、ひび割れ防止効果を向上させることができる。
【００５６】
以下では、図５及び図６を参照して、本発明の第三実施形態に係る鉄筋コンクリート床版３００について説明する。
【００５７】
第三実施形態に係る鉄筋コンクリート床版３００が、第二実施形態に係る鉄筋コンクリート床版２００と異なる主な点は、補強筋１０に代えて補強筋２０を具備する点である。よって以下では、第三実施形態に係る鉄筋コンクリート床版３００のうち第二実施形態に係る鉄筋コンクリート床版２００と同一の構成については、同一の符号を付して説明を省略する。
【００５８】
補強筋２０は、コンクリート部１のひび割れを防止するための鉄筋である。補強筋２０は、補強筋１０と同様に、Ｘ方向配筋２の上方に、当該Ｘ方向配筋２と当接するように埋設される（図２参照）。補強筋２０は、平面視において領域Ａの全周を、すなわちＸ方向及びＹ方向の両方を囲うように４つ埋設されている。
【００５９】
補強筋２０は、平面視において領域Ａの全周を、すなわちＸ方向及びＹ方向の両方を囲うように左右一対及び前後一対設けられる。左右一対及び前後一対の補強筋２０は、互いに同形状に形成される。左右一対の補強筋２０は、互いに左右対称となるように配置される。前後一対の補強筋２０は、互いに前後対称となるように配置される。
【００６０】
第一実施形態及び第二実施形態に係る補強筋１０は１本の線材が略直角に折り曲げられることによって形成されるものであるが、補強筋２０は、２つの部材によって形成されている。具体的には、補強筋２０は、第一部材２１及び第二部材２２によって形成されている。上述の如く、左右一対及び前後一対の補強筋２０は、互いに同形状に形成されるものであるので、以下では、左右一対及び前後一対の補強筋２０のうち左側の補強筋２０について説明を行い、その他の補強筋２０については説明を省略する。
【００６１】
第一部材２１は、補強筋２０の後半部を構成する部材である。第一部材２１は、第一部分２１１及び第一延伸部２１２を具備する。
【００６２】
図６に示す第一部分２１１は、Ｘ方向及びＹ方向に対して斜め方向に長手方向を向けて設けられる。より詳細には、第一部分２１１は、その両端部のそれぞれを左前方向及び右後方向に向けて配置される。これにより、第一部分２１１は、平面視において、Ｘ方向配筋２及びＹ方向配筋３と交差するように配置される。第一部分２１１の前端部（左端部）は、領域Ａの左端部の左方に、かつ、領域Ａの前後中央部に位置するように配置される。
【００６３】
図６に示す第一延伸部２１２は、第一部分２１１の前端部（左端部）から左方（開口部５と対向する側と反対側）に延伸するように形成される。第一延伸部２１２には、第一フック部２１２ａが形成される。
【００６４】
図６に示す第一フック部２１２ａは、第一延伸部２１２の左端部においてフック状に形成される。具体的には、第一フック部２１２ａは、第一延伸部２１２の左端部から後方へ延びるとともに、その後端部から右方に延びる（屈曲する）ように形成される。
【００６５】
第二部材２２は、補強筋２０の前半部を構成する部材である。第二部材２２は、第一部材２１と前後対称に形成されている。第二部材２２は、第二部分２２１及び第二延伸部２２２を具備する。
【００６６】
図６に示す第二部分２２１は、Ｘ方向及びＹ方向に対して斜め方向に長手方向を向けて設けられる。より詳細には、第二部分２２１は、その両端部のそれぞれを右前方向及び左後方向に向けて配置される。これにより、第二部分２２１は、平面視において、Ｘ方向配筋２及びＹ方向配筋３と交差するように配置される。第二部分２２１の後端部（左端部）は、領域Ａの左端部の左方に、かつ、領域Ａの前後中央部に位置するように配置される。第二部分２２１は、その後端部（左端部）が第一部分２１１の前端部（左端部）と略同一となるように配置される。
【００６７】
図６に示す第二延伸部２２２は、第二部分２２１の後端部（左端部）から左方（開口部５と対向する側と反対側）に延伸するように形成される。すなわち、第二延伸部２２２は、第一延伸部２１２の延伸方向と同じ方向に延伸するように形成される。
【００６８】
図６に示す第二フック部２２２ａは、第二延伸部２２２の左端部においてフック状に形成される。具体的には、第二フック部２２２ａは、第二延伸部２２２の左端部から前方へ延びるとともに、その前端部から右方に延びる（屈曲する）ように形成される。
【００６９】
このように形成される第一部材２１及び第二部材２２においては、第一延伸部２１２と第二延伸部２２２とがフレア溶接されることにより互いに固定されている。このように第一延伸部２１２と第二延伸部２２２とが互いに固定されることで、第二部分２２１の後端部（左端部）と第一部分２１１の前端部（左端部）とが接続される。これにより角部２３が形成される。角部２３は概ね９０°の角度をなすように形成される。
【００７０】
このように２つの部材（第一部材２１及び第二部材２２）が溶接されることにより補強筋２０が形成されているので、角部２３における曲げ応力を低減することができ、ひいては角部２３における応力集中を緩和することができる。
【００７１】
また、第一延伸部２１２及び第二延伸部２２２が設けられることにより、第一部分２１１及び第二部分２２１の長さを長くしなくても、補強筋２０の定着長さを長くすることができる。したがって、第一部分２１１及び第二部分２２１を互いに交差させる（異なる層となる）ことなく、補強筋２０の定着長さを確保することができる。
【００７２】
さらに第一延伸部２１２及び第二延伸部２２２それぞれの先端部に第一フック部２１２ａ及び第二フック部２２２ａが形成されていることにより、補強筋２０の左右幅及び前後幅を大きくすることなく定着長さを長くすることができる。また、第一フック部２１２ａ及び第二フック部２２２ａがコンクリート部１に対してアンカーの役割を果たすため、角部２３への応力集中をより緩和することができる。
【００７３】
以上の如く、第三実施形態において、補強筋２０は、角部２３から、開口部５と対向する側と反対側に延伸する第一延伸部２１２及び第二延伸部２２２（延伸部）を具備するものである。
このように構成することにより、補強筋２０が互いに交差する（異なる層となる）ことなく、補強筋２０の定着長さの確保を図ることができる。
【００７４】
また、前記第一部分２１１は第一部材２１に形成され、前記第二部分２２１は前記第一部材２１とは異なる第二部材２２に形成され、前記延伸部は、前記第一部材２１に形成された第一延伸部２１２と、前記第二部材２２に、前記第一延伸部２１２と同じ方向に延伸するように形成された第二延伸部２２２と、を具備し、前記第一延伸部２１２と前記第二延伸部２２２とは互いに固定されているものである。
このように構成することにより、角部２３における応力集中を緩和することができる。
【００７５】
また、前記第一延伸部２１２及び第二延伸部２２２の先端部は第一フック部２１２ａ及び第二フック部２２２ａが形成されている（フック状に形成されている）ものである。
このように構成することにより、角部２３における応力集中をより緩和することができる。
【００７６】
なお、第三実施形態に係る第一延伸部２１２及び第二延伸部２２２は、延伸部の実施の一形態である。
【００７７】
以上、本発明の第三実施形態を説明したが、本発明は上記構成に限定されるものではなく、特許請求の範囲に記載された発明の範囲内で種々の変更が可能である。
【００７８】
例えば、第三実施形態においては、第一延伸部２１２及び第二延伸部２２２の先端は、フック状に形成される（第一フック部２１２ａ及び第二フック部２２２ａが形成される）ものとしたが、図７に示すように、前後方向に１回だけ屈曲するように形成されていてもよく、図８に示すように、屈曲していなくてもよい。図７及び図８に示すように第一延伸部２１２及び第二延伸部２２２の先端がフック状に形成されていない場合、補強筋２０（第一部材２１及び第二部材２２それぞれ）は異形鉄筋により形成されるものとしてもよい。
【００７９】
以下では、図９を参照して、本発明の第四実施形態に係る鉄筋コンクリート床版４００について説明する。
【００８０】
第四実施形態に係る鉄筋コンクリート床版４００が、第一実施形態に係る鉄筋コンクリート床版１００と異なる主な点は、開口部４に代えて開口部６を具備する点、及び補強筋１０に代えて補強筋３０を具備する点である。よって以下では、第四実施形態に係る鉄筋コンクリート床版４００のうち第一実施形態に係る鉄筋コンクリート床版１００と同一の構成については、同一の符号を付して説明を省略する。
【００８１】
開口部６は、上下方向（鉄筋コンクリート床版１００の厚み方向）に沿って開口するものである。開口部６は、設備開口として形成される。開口部６は、コンクリート部１を上下方向に貫通するように形成される。開口部６は、平面視矩形状に形成される。開口部６は、１つ形成される。開口部６を形成するために、Ｙ方向配筋３が切断される。
【００８２】
補強筋３０は、コンクリート部１のひび割れを防止するための鉄筋である。補強筋３０は、Ｙ方向筋３１及び円形筋３２を具備する。
【００８３】
Ｙ方向筋３１は、Ｙ方向（前後方向）に長手方向を向けて配置された鉄筋である。Ｙ方向筋３１は、Ｙ方向配筋３と同じ層に埋設される。Ｙ方向筋３１は、開口部６を左右方向から挟むように（開口部６の左方及び右方に）左右一対設けられる。Ｙ方向筋３１は、開口部６の前側に隣接するＸ方向配筋２よりも前方まで延びるように、かつ、開口部６の後側に隣接するＸ方向配筋２よりも後方まで延びるように設けられる。
【００８４】
円形筋３２は、平面視円環状に形成されるものである。円形筋３２は、左右一対のＹ方向筋３１の間に設けられ、当該Ｙ方向筋３１に対して溶接されることにより固定されている。これにより、Ｙ方向筋３１と円形筋３２とは、ユニット化されている。円形筋３２は、平面視において開口部６を囲うように形成される。円形筋３２は、Ｙ方向配筋３と同じ層に埋設される。
【００８５】
第四実施形態に係る鉄筋コンクリート床版４００においては、補強筋３０（Ｙ方向筋３１及び円形筋３２）がＹ方向配筋３と同じ層に配置される。したがって、鉄筋の合計段数を上下二段とすることができる。これにより、鉄筋コンクリート床版４００の厚さｔ１が比較的薄く、配筋スペースｔ３が限られている場合であっても、コンクリート部１のひび割れ防止を図ることができる。
【００８６】
以上の如く、第四実施形態に係る鉄筋コンクリート床版４００は、
Ｘ方向に長手方向を向けて埋設されたＸ方向配筋２と、
前記Ｘ方向配筋２とは異なる層に、前記Ｘ方向と交差するＹ方向に長手方向を向けて埋設されたＹ方向配筋３と、
鉄筋コンクリート床版４００（床板）の厚み方向に沿って設けられ、前記Ｙ方向配筋３（前記Ｘ方向配筋２又は前記Ｙ方向配筋３の少なくとも一方）の切断を伴って形成された開口部６と、
ＸＹ平面における平面視において開口部６を囲うように埋設された補強筋３０と、を具備し、
前記補強筋３０は、
前記Ｙ方向配筋３と同じ層に、前記平面視において前記開口部６を挟むようにＹ方向に長手方向を向けて埋設された２本のＹ方向筋３１と、
前記Ｙ方向配筋３と同じ層に、２本の前記Ｙ方向筋３１間に設けられ、前記平面視において前記開口部６を囲繞する円形筋３２と、
を具備するものである。
このように構成することにより、鉄筋の合計段数を上下二段とすることができる。これにより、鉄筋コンクリート床版４００の厚さｔ１が比較的薄く、配筋スペースｔ３が限られている場合であっても、ひび割れ防止を図ることができる。
【００８７】
また、前記Ｙ方向筋３１と前記円形筋３２とは、互いに固定されユニット化されているものである。
このように構成することにより、補強筋３０の配置を容易化することができる。
【００８８】
また、第四実施形態に係る鉄筋コンクリート床版４００は、厚さｔ１が９０ｍｍ以下であるものである。
このように構成することにより、比較的薄い鉄筋コンクリート床版４００であっても補強筋３０を設けることができ、これによりひび割れ防止を図ることができる。
【００８９】
以上、本発明の第四実施形態を説明したが、本発明は上記構成に限定されるものではなく、特許請求の範囲に記載された発明の範囲内で種々の変更が可能である。
【００９０】
例えば、第四実施形態においては、開口部６は、Ｙ方向配筋３が切断されて配置されるものとしたが、Ｘ方向配筋２が切断されて配置されるものであってもよい。開口部６がＸ方向配筋２が切断されて配置される場合、Ｙ方向筋３１に代えて、「前記Ｘ方向配筋２と同じ層に、前記平面視において前記開口部６を挟むようにＸ方向に長手方向を向けて埋設された２本のＸ方向筋」を具備し、円形筋３２は、Ｘ方向配筋２と同じ層に、２本の前記Ｘ方向筋間に設けられるものとすることができる。
【００９１】
以下では、図１０を参照して、本発明の第五実施形態に係る鉄筋コンクリート床版５００について説明する。
【００９２】
第五実施形態に係る鉄筋コンクリート床版５００が、第四実施形態に係る鉄筋コンクリート床版４００と異なる主な点は、開口部６に代えて開口部７を具備する点、及び補強筋３０に代えて補強筋４０を具備する点である。よって以下では、第五実施形態に係る鉄筋コンクリート床版５００のうち第四実施形態に係る鉄筋コンクリート床版４００と同一の構成については、同一の符号を付して説明を省略する。
【００９３】
開口部７は、上下方向（鉄筋コンクリート床版１００の厚み方向）に沿って開口するものである。開口部７は、設備開口として形成される。開口部７は、コンクリート部１を上下方向に貫通するように形成される。開口部７は、平面視矩形状に形成される。開口部７は、１つ形成される。開口部７を形成するために、Ｘ方向配筋２及びＹ方向配筋３が切断される。
【００９４】
補強筋４０は、コンクリート部１のひび割れを防止するための鉄筋である。補強筋４０は、Ｙ方向筋３１、円形筋３２、Ｘ方向筋４３及び円形筋４４を具備する。Ｙ方向筋３１及び円形筋３２については、第四実施形態において説明したので、ここでは説明を省略する。
【００９５】
Ｘ方向筋４３は、Ｘ方向（左右方向）に長手方向を向けて配置された鉄筋である。Ｘ方向筋４３は、Ｘ方向配筋２と同じ層に埋設される。Ｘ方向筋４３は、開口部７を前後方向から挟むように（開口部７の前方及び後方に）前後一対設けられる。Ｘ方向筋４３は、開口部７の左側に隣接するＹ方向配筋３よりも左方まで延びるように、かつ、開口部７の右側に隣接するＹ方向配筋３よりも右方まで延びるように設けられる。
【００９６】
円形筋４４は、平面視円環状に形成されるものである。円形筋４４は、前後一対のＸ方向筋４３との間に設けられ、当該Ｘ方向筋４３に対して溶接されることにより固定されている。これにより、Ｘ方向筋４３と円形筋４４とは、ユニット化されている。円形筋４４は、平面視において開口部７を囲うように形成される。円形筋４４は、Ｘ方向配筋２と同じ層に埋設される。
【００９７】
第五実施形態に係る鉄筋コンクリート床版５００においては、Ｙ方向筋３１及び円形筋３２がＹ方向配筋３と同じ層に配置され、Ｘ方向筋４３及び円形筋４４がＸ方向配筋２と同じ層に配置される。したがって、鉄筋の合計段数を上下二段とすることができる。これにより、鉄筋コンクリート床版５００の厚さｔ１が比較的薄く、配筋スペースｔ３が限られている場合であっても、コンクリート部１のひび割れ防止を図ることができる。
【００９８】
以上の如く、第五実施形態に係る鉄筋コンクリート床版５００は、
Ｘ方向に長手方向を向けて埋設されたＸ方向配筋２と、
前記Ｘ方向配筋２とは異なる層に、前記Ｘ方向と交差するＹ方向に長手方向を向けて埋設されたＹ方向配筋３と、
鉄筋コンクリート床版４００（床板）の厚み方向に沿って設けられ、前記Ｘ方向配筋２及び前記Ｙ方向配筋３が切断されて配置された開口部７と、
ＸＹ平面における平面視において開口部７を囲うように埋設された補強筋４０と、を具備し、
前記補強筋４０は、
前記Ｙ方向配筋３と同じ層に、前記平面視において前記開口部７を挟むようにＹ方向に長手方向を向けて埋設された２本のＹ方向筋３１と、
前記Ｙ方向配筋３と同じ層に、２本の前記Ｙ方向筋３１間に設けられ、前記平面視において前記開口部７を囲繞する円形筋３２と、
前記Ｘ方向配筋２と同じ層に、前記平面視において前記開口部７を挟むようにＸ方向に長手方向を向けて埋設された２本のＸ方向筋４３と、
前記Ｘ方向配筋２と同じ層に、２本の前記Ｘ方向筋４３間に設けられ、前記平面視において前記開口部７を囲繞する円形筋４４と、
を具備するものである。
このように構成することにより、鉄筋の合計段数を上下二段とすることができる。これにより、鉄筋コンクリート床版５００の厚さｔ１が比較的薄く、配筋スペースｔ３が限られている場合であっても、コンクリート部１のひび割れ防止を図ることができる。
【符号の説明】
【００９９】
２      Ｘ方向配筋
３      Ｙ方向配筋
４      開口部
１０    補強筋
１１    第一部分
１２    第二部分
１３    角部
【図１】
2020159171.tif 000003
【図２】
2020159171.tif 000004
【図３】
2020159171.tif 000005
【図４】
2020159171.tif 000006
【図５】
2020159171.tif 000007
【図６】
2020159171.tif 000008
【図７】
2020159171.tif 000009
【図８】
2020159171.tif 000010
【図９】
2020159171.tif 000011
【図１０】
2020159171.tif 000012